(57)【要約】【課題】固定作業が行い易いと共に怪我のリスクを軽減できるマットの固定構造を提供する。【解決手段】載置部２０にマット３０を固定する固定構造は、載置部２０の周縁に設けられる壁部２４と、壁部２４から載置部２０の内側に向けて突出する爪部２６と、を備える。当該固定構造においては、載置部２０に載置されるマット３０の一部を爪部２６の下側に挿し込むことによってマット３０を固定する。【選択図】図６
0003193179.tif 000002
【実用新案登録請求の範囲】
【請求項１】
マットが載置される載置部にマットを固定する固定構造であって、
前記載置部の周縁に設けられる壁部と、
前記壁部から前記載置部の内側に向けて突出する爪部と、
を備え、
前記載置部に載置される前記マットの一部を前記爪部の下側に挿し込んで前記マットを固定することを特徴とするマットの固定構造。
【請求項２】
前記爪部は、前記載置部の周縁に間隔をあけて複数設けられていることを特徴とする請求項１に記載のマットの固定構造。
【請求項３】
前記爪部の下側には貫通穴が設けられていることを特徴とする請求項２に記載のマットの固定構造。
【請求項４】
請求項１から３のいずれかに記載のマットの固定構造を備えることを特徴とするストレッチャー。
【請求項５】
車輪を有する走行部と、
前記走行部に支持される担架部と、
を備え、
前記担架部が前記載置部であることを特徴とする請求項４に記載のストレッチャー。
【請求項６】
前記担架部には、水抜き穴と、前記水抜き穴に水を導く溝とが設けられていることを特徴とする請求項５に記載のストレッチャー。
【請求項７】
前記水抜き穴に、前記爪部の下側の貫通穴が含まれることを特徴とする請求項６に記載のストレッチャー。
【考案の詳細な説明】
【技術分野】
【０００１】
本考案は、マットの固定構造、及び、マットの固定構造を備えるストレッチャーに関する。
【背景技術】
【０００２】
従来、例えば担架等の人が載せられる機器上には、当該機器に載せられる人の快適性等を考慮して、軟質のマットが載置される。このような軟質マットは、機器から脱落しないように、機器に固定されるのが一般的である。マットの固定には、例えばベルトが利用されたり、係止ピンと係止釦との組み合わせ（例えば特許文献１参照）が利用されたりする。
【０００３】
係止ピンと係止釦とを用いてマットを固定する場合、マットの上面から係止ピンがマット及び機器（担架等）に設けられる取付孔に挿し込まれ、下部側に配置される係止釦に係止ピンの先端側が挿し込まれる。これによって、マット及び機器が係止ピンと係止釦とに挟み込まれる形になり、マットが機器に固定される。
【先行技術文献】
【特許文献】
【０００４】
【特許文献１】特開平１０−４３２４０号公報
【考案の概要】
【考案が解決しようとする課題】
【０００５】
係止ピンと係止釦とを用いて固定する方法では、固定箇所が増えると係止ピンの取付け作業が大変になる。また、軟質のマットは寸法に個体差が発生し易いために、係止ピンが取付孔に嵌り難いといった事態が生じることがある。また、係止ピンは、硬質のプラスチックで構成されることが多いために、マット上の人に当たって怪我を負わせる可能性がある。特に、マットが経年変化等で薄くなった場合に、係止ピンの頭が出っ張る可能性があり、人に怪我を負わせ易くなることが懸念される。
【０００６】
以上の点に鑑みて、本考案の目的は、固定作業が行い易いと共に怪我のリスクを軽減できるマットの固定構造を提供することである。また、本考案の他の目的は、前述のマットの固定構造を備え、組み立てが容易であると共に、怪我が発生し難いストレッチャーを提供することである。
【課題を解決するための手段】
【０００７】
上記目的を達成するために本考案のマットの固定構造は、マットが載置される載置部にマットを固定する固定構造であって、前記載置部の周縁に設けられる壁部と、前記壁部から前記載置部の内側に向けて突出する爪部と、を備え、前記載置部に載置される前記マットの一部を前記爪部の下側に挿し込んで前記マットを固定する構成（第１の構成）になっている。
【０００８】
本構成によれば、マットの一部を爪部の下側に挿し込めばマットを固定できるために、マットを固定する作業が非常に簡単である。また、マットを固定する爪部は、載置部の周縁に設けられるために、マットに載る人に怪我を負わせにくい。
【０００９】
上記第１の構成のマットの固定構造において、前記爪部は、前記載置部の周縁に間隔をあけて複数設けられる構成（第２の構成）であるのが好ましい。本構成によれば、例えばマットと爪部との間に発生する摩擦力を低減できる等の理由により、マットを爪部の下側に挿し込む作業が行い易い。なお、本構成では、爪部の形状に丸みを持たせるのが好ましい。このように構成することで、マットに載る人が爪部によって怪我を負う可能性を更に低減できる。
【００１０】
上記第２の構成のマットの固定構造において、前記爪部の下側には貫通穴が設けられる構成（第３の構成）であるのが好ましい。本構成によれば、例えばブロー成形等の樹脂成形技術を利用して得られる載置部の製造コストを下げ易い。
【００１１】
また、上記目的を達成するために本考案のストレッチャーは、上記第１から第３のいずれかの構成のマットの固定構造を備える構成（第４の構成）になっている。本構成によれば、マットの固定作業が簡単であると共にマットの固定構造によって怪我が生じる可能性が少ないので、組み立てが容易であると共に怪我を発生し難いストレッチャーを提供可能である。
【００１２】
上記第４の構成のストレッチャーは、車輪を有する走行部と、前記走行部に支持される担架部と、を備え、前記担架部が前記載置部である（第５の構成）のが好ましい。本構成によれば、担架部に載置されるマットの固定が容易であるので便利である。また、担架部に載置されるマット上の人に怪我を負わせにくいので、安心して使用できる。
【００１３】
上記第５の構成のストレッチャーにおいて、前記担架部には、水抜き穴と、前記水抜き穴に水を導く溝とが設けられている構成（第６の構成）であってよい。本構成のストレッチャーは、入浴用のストレッチャーとして好適である。
【００１４】
上記第６の構成のストレッチャーにおいて、前記水抜き穴に、前記爪部の下側の貫通穴が含まれる構成（第７の構成）が採用されてもよい。本構成によれば、爪部を設けることによって形成される貫通穴を有効利用して、当該貫通穴以外に水抜き穴を設けない構成とすることも可能である。
【考案の効果】
【００１５】
本考案によれば、固定作業が行い易いと共に怪我のリスクを軽減できるマットの固定構造を提供できる。また、本考案によれば、組み立てが容易であると共に、怪我が発生し難いストレッチャーを提供できる。
【図面の簡単な説明】
【００１６】
【図１】本考案の実施形態に係るマットの固定構造を含むストレッチャーの構成を示す概略上面図
【図２】本考案の実施形態に係るマットの固定構造を含むストレッチャーの構成を示す概略側面図
【図３】本考案の実施形態に係るストレッチャーにおいて、マットを取り外した場合の構成を示す概略上面図
【図４】図３に示す担架部のＡ−Ａ位置における概略断面図
【図５】図３に示す担架部のＢ−Ｂ位置における概略断面図
【図６】本実施形態の担架部にマットが載せられて固定された状態を示す概略断面図で、図３のＡ−Ａ位置に対応する部分で切断した場合の断面図
【図７】本考案の実施形態に係るストレッチャーの変形例を説明するための概略図
【考案を実施するための形態】
【００１７】
以下、本考案の実施形態に係る、マットの固定構造及びストレッチャーについて、図面を参照しながら詳細に説明する。
【００１８】
図１は、本考案の実施形態に係るマットの固定構造を含むストレッチャー１の構成を示す概略上面図である。図２は、本考案の実施形態に係るマットの固定構造を含むストレッチャー１の構成を示す概略側面図である。なお、本実施形態に係るストレッチャー１は、当該ストレッチャー１を内部に受け入れて、ストレッチャー１に載る入浴者（例えば被介護者）に対してシャワー浴を可能とするドーム型のシャワー浴装置（不図示）とセットで使用されるものである。すなわち、ストレッチャー１は、シャワー浴用のストレッチャーである。
【００１９】
図１及び図２に示すように、ストレッチャー１は、走行部１０と担架部２０とを有する。走行部１０は、車輪１１を４つ有し、床面上を走行可能になっている。走行部１０は、車輪１１が取り付けられる下部フレーム１２と、下部フレーム１２に立設される支柱１３（本実施形態では一例として２本になっている）と、支柱１３に支持される上部フレーム１４と、を備えている。
【００２０】
下部フレーム１２には、水受盤１５が取り付けられている。水受盤１５には、当該水受盤１５に集められた水を纏めて排出する排水部１５ａが設けられている。上部フレーム１４には、担架部２０の他に、担架部２０に載せられた入浴者の転落を防止する等の目的で一対のサイドフェンス１６ａ、１６ｂが取り付けられている。一対のサイドフェンス１６ａ、１６ｂは、いずれも、上部フレーム１４に回動可能に取り付けられており、図示の状態から倒すことができる。また、上部フレーム１４には、担架部２０に載る入浴者が頭を載せる枕部１７が取り付けられている。
【００２１】
入浴者が仰臥位等で載せられる担架部２０は、例えば、ポリプロピレン等の樹脂を利用して形成されたブロー成形品である。なお、担架部２０は、ブロー成形以外の手法で形成されても勿論構わない。担架部２０上には、例えば入浴者の快適性等を考慮して、平面視略長方形状の軟質のマット３０が載置される。マット３０には、マット３０上に水が溜まらないように多数の水抜き穴３０ａ（貫通穴）が形成されている。なお、担架部２０は、本考案の載置部の一例である。
【００２２】
図３は、本考案の実施形態に係るストレッチャー１において、マット３０を取り外した場合の構成を示す概略上面図である。図３に示すように、担架部２０は、詳細には、主に入浴者の上半身側が載せられる第１の部材２０ａと、主に入浴者の下半身側が載せられる第２の部材２０ｂとで構成されている。第１の部材２０ａには、ストレッチャー１を搬送させる介助者等が持つための持ち手部２１が含まれる。なお、当該構成は一例にすぎず、担架部２０は、１つの部材で構成されても構わないし、３つ以上の部材で構成されても構わない。
【００２３】
担架部２０には、マット３０の水抜き穴３０ａから落ちてきた水を更に水受盤１５（図２参照）へと落とすための水抜き穴２２（貫通穴）が多数形成されている。また、担架部２０のマット３０が載置される上面には、マット３０から落ちてきた水を水抜き穴２２へと導く所定パターンの溝２３が形成されている。なお、担架部２０のマット３０が載置される上面は、溝２３を介して水抜き穴２２から水を落とし易いように適宜傾斜されてよい。
【００２４】
担架部２０の周縁には壁部２４が設けられて、担架部２０の上面側には、平面視略矩形状の浅い凹部２５が形成されている。マット３０は、この凹部２５内に収められる。そして、担架部２０には、凹部２５に収められたマット３０が担架部２０から脱落しないように固定する爪部２６が設けられている。図１及び図３に示すように、爪部２６は、凹部２５が設けられる部分の四隅に設けられている。また、爪部２６は、凹部２５が設けられる部分の長手方向の中央部から一方の端部側へとややずれた位置にも、一対設けられている。
【００２５】
図４は、図３に示す担架部２０のＡ−Ａ位置における概略断面図である。図５は、図３に示す担架部２０のＢ−Ｂ位置における概略断面図である。図４及び図５に示すように、上面視略円弧状の外縁（図１及び図３参照）を有する爪部２６は、担架部２０の周縁に設けられる壁部２４（換言すると凹部２５を構成する側壁）の上端から、担架部２０の内側に向けて突出する。
【００２６】
爪部２６は、担架部２０の周縁において、マット３０が載置される面よりも高い位置に設けられる。このために、図６に示すように、凹部２５に入れられるマット３０の外周側の一部を爪部２６の下側に挿し込むことによって、マット３０が担架部２０から外れないように固定することができる。爪部２６が設けられる位置は、壁部２４の上端に限られないが、爪部２６によってマット２６が上から押さえつけられるように、爪部２６の高さ位置は調整されるのが好ましい。
【００２７】
なお、図６は、本実施形態の担架部２０にマット３０が載せられて固定された状態を示す概略断面図で、図３のＡ−Ａ位置に対応する部分で切断した場合の断面図である。また、担架部２０の第１の部材２０ａ側に設けられる爪部２６の構成は図示していないが、これは、当該構成が、図５に示す構成と概ね同様であるので、特に説明の必要がないことを考慮するものである。
【００２８】
図４及び図５に示されるように、本実施形態においては、爪部２６の下部側には、貫通穴２７が設けられている。この貫通穴２７は、上面から見た場合に、爪部２６のサイズと同等になっている。この貫通穴２７の存在により、爪部２６を設けたにもかかわらず、金型の抜き方向を単純に上下方向（この方向の表現は図４、５を念頭においている）のみとしても担架部２０を形成できる。このために、本実施形態のストレッチャー１は安価に形成できる。
【００２９】
なお、本実施形態における爪部２６の形状、数、配置等は例示にすぎず、これらは適宜変更されてよいのは勿論である。爪部２６の形状は、担架部２０に載る入浴者が爪部２６に触れても怪我しないように、丸みを帯びているのが好ましい。また、本実施形態とは異なる製造方法を採用することによって、爪部２６の下側に貫通穴２７を設けないようにしてもよい。
【００３０】
本実施形態の構成によれば、マット３０の一部を爪部２６の下に挿し込めばマット３０を簡単に固定でき、爪部２６の下からマット３０の一部を引き抜けばマット３０を簡単に担架部２０から取り外せる。マット３０の固定に係止ピン及び係止釦の組み合わせを使う必要がないので、マット３０を固定する労力が少なくて済む。また、爪部２６は、担架部２０の端に設けられると共に、丸みを持った形状にできるために、担架部２０に載る入浴者を怪我させにくい。
＜その他＞
【００３１】
以上に示した実施形態は、本考案の例示にすぎない。以上に示した実施形態の構成は、本考案の技術的思想を超えない範囲で適宜変更されて構わない。
【００３２】
例えば、以上に示した実施形態では、担架部２０に水抜き穴２２を形成する構成とした。しかし、図７に示すように、担架部２０に設ける溝２３を爪部２６の下側に設けられる貫通穴２７に連通させることによって、貫通穴２７（水抜き穴として機能する）以外の水抜き穴は設けないようにしても良い。なお、このように構成する場合には、担架部２０の溝２３が設けられる面の傾斜は、本実施形態の構成から適宜変更する必要がある。また、担架部２０の周縁から水が下に落ちても水受盤１５で水を受けられるように、水受盤１５のサイズは適宜調整する必要がある。また、図７に示すように溝２３を構成する場合でも、貫通穴２７以外に水抜き用の穴を設けても勿論よい。
【００３３】
また、以上に示した実施形態では、担架部２０の周縁に設けられる爪部２６は、間隔をあけて複数設けられる構成とした。しかし、この構成に限らず、場合によっては、固定のための爪部は、担架部２０の周縁の全周、或いは、周縁の大部分に亘って連続して設けられても構わない。
【００３４】
また、以上に示した実施形態では、爪部２６のみでマット３０を固定する構成としたが、爪部２６とピン止めとが併用されても構わない。爪部２６が存在するために、ピン止めの数は少なくてよく、また、入浴者にとって危険でない位置にピンを配置することも可能である。
【００３５】
また、以上においては、本考案に係るマットの固定構造がストレッチャーに適用される構成を示した。しかしながら、本考案に係るマットの固定構造は、ストレッチャーに限らず、例えば、入浴用車椅子等、他の機器に適用されても構わない。ただし、本考案のマットの固定構造は、例えば、シャワー浴用の、ストレッチャーや車椅子のように、使用時にマットに対して大きな力（マットを機器から外そうとする大きな力；例えば浮力等）が加わらない機器に適用するのが好ましい。
【符号の説明】
【００３６】
１  ストレッチャー
１０  走行部
１１  車輪
２０  担架部（載置部）
２２  水抜き穴
２３  溝
２４  壁部
２６  爪部
２７  貫通穴
３０  マット
【図１】
0003193179.tif 000003
【図２】
0003193179.tif 000004
【図３】
0003193179.tif 000005
【図４】
0003193179.tif 000006
【図５】
0003193179.tif 000007
【図６】
0003193179.tif 000008
【図７】
0003193179.tif 000009